(57)【要約】      （修正有）【課題】クッションとしての機能と、按摩器としての機能を同時に遂行し、腹筋運動を補助することができる多用途クッション按摩器を提供する。【解決手段】人体の腰屈曲に対応して湾曲するように形成されたクッション本体１０と、クッション本体１０に内設されて往復運動を通じて震動形態で人体を按摩するように構成された按摩手段２０が設けられる。クッション本体１０後方下部一側に板形状で延長形成され、クッション本体１０前方下部一面に折帖可能になるように具備された折帖マット１００と、折帖マット１００がクッション本体１０下部面に折帖され固定されるようにクッション本体１０前方下部一面と前記折帖マット１００の底面一側に設けられた結合手段を含む。【選択図】図１
0003160217.tif 000002
【実用新案登録請求の範囲】
【請求項１】
人体の腰屈曲に対応するように湾曲させて形成したクッション本体１０と、前記クッション本体１０に内設されて往復運動を通じて震動形態で人体を按摩するように構成された按摩手段２０が設けられたクッション按摩器において、
前記クッション本体１０後方下部一側に板形状で延長形成されて、前記クッション本体１０前方下部一面に折帖可能になるように具備された折帖マット１００と；
前記折帖マット１００が前記クッション本体１０下部面に折帖され固定されるよう前記クッション本体１０前方下部一面と前記折帖マット１００の底面一側に設けられた結合手段２００；
を含む多用途クッション按摩器。
【請求項２】
前記折帖マット１００は前記クッション本体１０の後方下部一側に接する部分左右両側に前記折帖マット１００の折帖時容易く折帖されるよう折帖切開部１０２が形成されたことを特徴とする、
請求項１に記載の多用途クッション按摩器。
【請求項３】
前記折帖マット１００はウレタンで形成されたことを特徴とする、
請求項１に記載の多用途クッション按摩器。
【請求項４】
前記結合手段２００はベルクロテープで形成されたことを特徴とする、
請求項１に記載の多用途クッション按摩器。
【請求項５】
前記折帖マット１００の上部面にはエアクッション部１１０がさらに形成されたことを特徴とする、
請求項１に記載の多用途クッション按摩器。
【考案の詳細な説明】
【技術分野】
【０００１】
本考案は多用途クッションに関するものであり、さらに詳細には按摩器としての役目を遂行するのと共に車輛の椅子などに使用が可能なクッションとしての機能を遂行し、折帖マットを具備して腹筋運動の時使用者の尻と腰椎が底面との衝撃より緩衝され保護するよう腹筋運動用補助マットの役目のできる多用途クッション按摩器に関するものである。
【背景技術】
【０００２】
一般的に、治療用または家庭用按摩器は手に持って肩、背と腰、腕、脚などに擦りながら按摩を行うハンド形按摩器と、椅子などに設置されてひとが座る状態で体全体を按摩する形態に区分される。
【０００３】
ここで、従来のハンド形按摩器は手で按摩器全体をとって移動させながら按摩を行い、椅子、マットなどに設置された按摩器は偏心体が設置された振動モーター、ローラーなどを内装して按摩を行う構造に構成される。
【０００４】
即ち、椅子形態の按摩器またはマット形態の按摩器はローラーを使用する構成の場合、その内部にレールと前記のレールを乗って移動するローラーを具備し、前記のローラーを移動させるようモーターおよびリンク器具などを搭載することになる。
【０００５】
前記の按摩器はローラーを移動させるための構成に所定長さのリンク器具を搭載することで、実質的に非常に大きな空間が必要になる。勿論、振動モーターを使用した按摩器の場合には前記の振動モーターにおける振動で按摩するためにローラー形態に比べ按摩効果が少なくなる。
【０００６】
このような構成を改善し、携帯が簡便になるよう開発され現在開示されているものとして、クッション形按摩器がある。前記クッション形按摩器は振動体がクッション内部に内設され使用者が按摩を望む部位に位置させて按摩が可能になるようにしたことで、使用者がより効率的に按摩が可能である。また、携帯が簡便して場所のこだわりなく使用が可能である。
【０００７】
しかし、このような従来のクッション形按摩器は単純にクッション内部に振動体を具備して按摩器としての役目とクッションとしての技能をのみ遂行するだけ、使用者がより効率的に使用するには限界がある。
【０００８】
なお、最近健康に多くの関心を持つ使用者たちには単純按摩とクッションとしての役目遂行をする従来のクッション形按摩器のみでは健康を増進するのに不足な点が多く多様な機能を一緒にできる多用途按摩器が要求されている実情である。
【考案の概要】
【考案が解決しようとする課題】
【０００９】
従って、本考案は上述したような問題点を解決するために案出したものであって、クッション技能と按摩技能を同時に遂行し、腹筋運動のための折帖マットを一側に具備して健康のための腹筋運動に補助的に助けをあげられる多用途クッション按摩器を提供するのにその目的がある。
【００１０】
また本考案は腹筋運動を行わない場合クッション按摩器一面に折帖マットを折帖結合して保管が簡便し、クッションまたは按摩機能を遂行時使用が簡便な多用途クッション按摩器を提供するのにまた一つの目的がある。
【課題を解決するための手段】
【００１１】
上述したような目的を達成するための本考案における多用途クッション按摩器は人体の腰屈曲に対応するように湾曲させて形成したクッション本体１０と、前記クッション本体１０に内設されて往復運動を通じて震動形態で人体を按摩するように構成された按摩手段２０が設けられたクッション按摩器において、前記クッション本体１０後方下部一側に板形状で延長形成されて、前記クッション本体１０前方下部一面に折帖可能になるように具備された折帖マット１００と；前記折帖マット１００が前記クッション本体１０下部面に折帖され固定されるよう前記クッション本体１０前方下部一面と前記折帖マット１００の底面一側に設けられた結合手段２００；を含む。
【００１２】
ここで、前記折帖マット１００は前記クッション本体１０の後方下部一側に接する部分左右両側に前記折帖マット１００の折帖時容易く折帖されるよう折帖切開部１０２が形成されたことを特徴とし、前記折帖マット１００は使用者が腹筋運動の時、尻と腰椎を保護するため緩衝力が優秀なウレタンで形成されたものが好ましい。
【００１３】
一方、前記結合手段２００はベルクロテープで形成されたものが好ましく、前記折帖マット１００の上部面にはエアクッション部１１０がさらに形成され使用者の尻と腰椎を保護することが好ましい。
【考案の効果】
【００１４】
本考案はクッション技能と按摩技能を同時に遂行し、腹筋運動のための折帖マットを一側で具備して健康のための腹筋運動に補助的に助けをあげられるし、腹筋運動をしない場合クッション按摩器一面に折帖マットを折帖結合して保管が簡便し、クッションまたは按摩機能を遂行時使用が簡便な長所がある。
【図面の簡単な説明】
【００１５】
【図１】本考案における多用途クッション按摩器の全体斜視図である。
【図２】本考案における多用途クッション按摩器の底面斜視図である。
【図３】本考案における多用途クッション按摩器の使用状態における側面図である。
【図４】本考案における多用途クッション按摩器の使用状態図である。
【図５】本考案における多用途クッション按摩器の折帖マットのまた一つの実施例を図示した斜視図である。
【考案を実施するための形態】
【００１６】
以下、本考案における多用途クッション按摩器の構成及び作用効果を好ましい実施例と添附された図面を參照してさらに詳細に説明する。
図１は本考案における多用途クッション按摩器の全体斜視図であり、図２は本考案における多用途クッション按摩器の底面斜視図であり、図３は本考案における多用途クッション按摩器の使用状態における側面図であり、図４は本考案における多用途クッション按摩器の使用状態図であり、図５は本考案における多用途クッション按摩器の折帖マットのまた一つの実施例を図示した斜視図である。
【００１７】
本考案における多用途クッション按摩器は人体の腰屈曲に対応されるように湾曲になるように形成されたクッション本体１０と、前記クッション本体１０に内設され往復運動を通じて振動形態で人体を按摩するように構成された按摩手段２０が設けられたクッション按摩器で按摩とクッション機能を同時に遂行すると共に、折帖マットを具備して腹筋運動の時使用者の尻と腰椎が底面との衝撃より緩衝保護して腹筋運動用補助マットの役目が可能になるように形成されたものとして、図１及び図２に図示されたように、折帖マット１００、結合手段２００で構成される。
【００１８】
前記折帖マット１００は前記クッション本体１０後方下部一側に板形状で延長形成される。ここで、前記折帖マット１００は図３に図示されたように、クッション本体１０後方下部一側から旋回され前方下部一面に折帖可能になるように具備される。このような前記折帖マット１００は前記クッション本体１０の後方下部一側に接する部分左右両側に折帖時容易く折帖されるよう内側に湾曲になるよう曲線になった折帖切開部１０２が形成される。
【００１９】
即ち、前記折帖切開部１０２を例を挙げて説明しようとすると厚い紙を折る場合容易く折られるように折れる部分の両側を切開してくれることのような役目を遂行することで、使用者が前記折帖マット１００を旋回させ折帖し、広げる繰り返された作用を容易く遂行可能になるように補助的役目を遂行するようになる。
【００２０】
一方、前記折帖マット１００は衝撃吸収量の優秀なウレタンで形成されることが好ましく、ウレタンで形成するによって使用者が腹筋運動の時、腰を立てて横たえたとする過程の中に発生されることができる尻の骨盤を腰椎に加わる衝撃を緩衝することができることで、安全な腹筋運動が可能である。
【００２１】
前記結合手段２００は前述の前記折帖マット１００が前記クッション本体１０下部面に折帖され固定されるよう図２に図示されたように、前記クッション本体１０前方下部一面と前記折帖マット１００の底面一側に設けられる。ここで、前記結合手段２００は上述のように、折帖マット１００をクッション本体１０底側に折帖した場合には折帖マットをクッション本体に固定する役目を遂行するが、使用者が腹筋運動のため前記折帖マット１００をクッション本体１０下部より結合を解除して広げた場合には室内外の底面と前記結合手段２００が密着されて摩擦力を増大させることで、使用者が反復的な腹筋運動の時、押されることを防止する役目を遂行することになる。
【００２２】
ここで、前記結合手段２００はベルクロテープから形成して使用者によって前記折帖マット１００がクッション本体１０より脱付着が容易いように形成することが好ましい。
【００２３】
一方、図５に図示されたように、前記折帖マット１００の上部面にエアクッション部１１０をさらに形成して使用者が腹筋運動の時、尻の骨盤と腰椎に加わる衝撃量をもっと緩衝させるよう形成しても好ましい。即ち、エアクッション部１１０を置くことで、使用者の体重と構わずにより汎用で使用が可能して使用者の骨盤と腰椎に加わる衝撃の最小化の可能である。
【００２４】
このような構成による本考案の多用途クッション按摩器を使用者が使用時、平常時には按摩器で使ってから車輛などを利用して移動時、腰に支えられるクッションに使用が可能である。このような使用以外に使用者が室内外で本考案の多用途クッション按摩器を利用して腹筋運動をしようとする場合、先ず、使用者はクッション本体１０の下部面に結合手段２００によって結合されている折帖マット１００を脱去する。
【００２５】
次に、折帖マット１００をクッション本体１０の後方一側に旋回作動して広げる。以後、使用者はクッション本体１０と広げた折帖マット１００を底に置いたあと、図４に図示されたように、折帖マット１００の上部面に尻を当てて、あしはクッション本体１０側に置いて腹筋運動を遂行する。こと時、腹筋運動の遂行時、按摩器を作動してあし筋肉を按摩することと同時に腹筋運動が可能して運動における疲勞を減らしながら腹筋運動が可能である。
【００２６】
また、使用者が尻を折帖マット１００に置いて、腰をクッション本体１０側に置いて腹筋運動が可能して腹筋運動における腰に無理な力が加わることを防止し、同時に按摩が可能してより効果的な腹筋運動が可能なことは自明なことであり、按摩とクッション及び腹筋運動用補助マットとしての機能を複合的に遂行することが可能である。
【００２７】
一方、本考案の詳細な説明では具体的な実施例に関して説明したが、本考案の範囲で外れない限度内で様々な変形が可能であることを当該分野で通常の知識を持つ者において、そのような変形は請求範囲記載の範囲内にあるものである。
【符号の説明】
【００２８】
１０  クッション本体
２０  按摩手段
１００  折帖マット
１０２  折帖切開部
１１０  エアクッション部
２００  結合手段
【図１】
0003160217.tif 000003
【図２】
0003160217.tif 000004
【図３】
0003160217.tif 000005
【図４】
0003160217.tif 000006
【図５】
0003160217.tif 000007